(57)【要約】【課題】化粧肌の自然な仕上がりを、客観的かつ簡便に評価する方法を提供することを課題とする。【解決手段】化粧後の顔を撮影した画像において、顔の任意の点を通る線上の、任意の区間の輝度を測定し、前記区間における輝度の偏在度を指標とすることを特徴とする、化粧肌の自然な仕上がりを評価する方法。好ましくは、前記偏在度が、１６．４０００〜１９．２００の範囲にあるときに自然な仕上がりであると評価する。【選択図】図２
2020169880.tif 000002
【特許請求の範囲】
【請求項１】
化粧後の顔を撮影した画像において、顔の任意の点を通る線上の、任意の区間の輝度を測定し、前記区間における輝度の偏在度を指標とすることを特徴とする、化粧肌の自然な仕上がりを評価する方法。
【請求項２】
前記偏在度が、１６．４０００〜１９．２０００の範囲にあるときに自然な仕上がりであると評価する、請求項１に記載の方法。
【発明の詳細な説明】
【技術分野】
【０００１】
本発明は、化粧肌の自然な仕上がりを評価する方法に関する。
【背景技術】
【０００２】
近年のベースメークには、ただシミやソバカス等の肌の難点を隠すのみでなく、自然な仕上がりが求められるようになっている。
化粧料の開発において、化粧料を塗布した後の肌（化粧肌）の仕上がりを評価することは重要である。従来、その評価は、専門パネルによる主観的な評価に委ねられており、迅速な開発の障害になっていた。
【０００３】
そのため、近年は、専門パネルによらない客観的な手法が提案されている。
特許文献１には、素肌と化粧後の肌の分光反射スペクトルを測定し、その反射率の比の曲線を求めることにより、化粧肌の自然な仕上がりを定量的に評価する方法が開示されている。
【先行技術文献】
【特許文献】
【０００４】
【特許文献１】特許第６４２０１７４号
【発明の概要】
【発明が解決しようとする課題】
【０００５】
特許文献１に記載の評価方法は客観的な評価結果を得られるものの、化粧後の肌の解析とともに化粧前の素肌の解析をも要する点で迅速簡便とは言い難い。
かかる状況に鑑みて本発明は、化粧肌の自然な仕上がりを、客観的かつ簡便に評価する方法を提供することを課題とする。
【課題を解決するための手段】
【０００６】
本発明者らは、化粧後の肌の任意の範囲において、輝度が均一すぎず適度にばらついていると、自然な仕上がりだと感じ取ることを見出し、輝度の偏在度を指標とすれば化粧肌の自然な仕上がりを客観的かつ簡便に評価できることに想到した。
【０００７】
すなわち、本発明は以下の通りである。
［１］化粧後の顔を撮影した画像において、顔の任意の点を通る線上の、任意の区間の輝度を測定し、前記区間における輝度の偏在度を指標とすることを特徴とする、化粧肌の自然な仕上がりを評価する方法。
［２］前記偏在度が、１６．４０００〜１９．２０００の範囲にあるときに自然な仕上がりであると評価する、［１］に記載の方法。
【発明の効果】
【０００８】
本発明によれば、化粧肌の自然な仕上がりを、客観的かつ簡便に評価することができる。また、画像に基づく解析を行うため、評価の再現性にも優れる。本発明の方法は、化粧料、特にベースメーク化粧料の効率的な開発や、消費者が化粧料を選択するときの判断材料などに寄与しうる。
【図面の簡単な説明】
【０００９】
【図１】化粧後の肌を撮像した画像のＢ画像と、該画像における顔の小鼻を起点とする水平線分の区間の輝度の測定値を表すグラフ。縦軸の上方ほど高い輝度を示す。
【図２】素肌、自然な仕上がりの化粧肌、及び不自然な仕上がりの化粧肌をそれぞれ撮像した画像のＢ画像と、該画像における顔の小鼻を起点とする水平線分の区間の輝度の測定値を表すグラフ。縦軸の上方ほど高い輝度を示す。前記区間の輝度偏在度は、（ａ）輝度偏在度＞１９．２０００、（ｂ）１６．４０００≦輝度偏在度≦１9．２０００、（ｃ）輝度偏在度＜１６．４０００である。
【発明を実施するための形態】
【００１０】
本発明の方法は、化粧後の顔を撮影した画像において、顔の任意の点を通る線上の、任意の区間の輝度を測定し、前記区間における輝度の偏在度を指標とすることを特徴とする。
【００１１】
化粧後の肌は、通常はベースメークを定法で施した後の肌である。
ここでいう肌は、人の皮膚のほか、人工皮膚、樹脂プレート等でもよい。
【００１２】
顔の撮影は、通常はデジタルカメラで行う。撮影する顔の向きは特に問わないが、通常は正面画像であり、好ましくは顔全体を撮影する。
測定する際の照明条件として用いられる光源の種類は、白熱電球、外部電極型蛍光管、キセノン光、ハロゲン光、ＬＥＤ（Light Emitting Diode）等が挙げられ、照明は１種又は２種以上組み合わせて使用することができる。また、照明の数、照明の位置方向は、目的に応じて設定することができる。
【００１３】
輝度を測定する画像は、特に限定されず、カラー画像でもよく、グレースケール画像でもよい。また、ＲＧＢカラー画像から抜きだしたＲ値、Ｇ値又はＢ値の階調（グラデーション）のみで表現した画像において測定することが好ましく、Ｂ値の階調のみで表現したＢ画像において測定することがより好ましい。なお、ＲＧＢ値とはコンピューター上で色を表現する際に使われる光の三原色（Ｒ赤，Ｇ緑，Ｂ青）の諧調のことである。赤（ＲＧＢ＝２５５，０，０）、緑（ＲＧＢ＝０,２５５,０）、青（ＲＧＢ＝０，０，２５５）、白（２５５，２５５，２５５）、黒（０，０，０）と表現することができ、混色の場合も、黄色（２５５，２２４，３２）のように２５６×２５６×２５６＝１，６７７，２１６色を表現することが可能である。
【００１４】
輝度を測定する区間は、顔の任意の点を通る線上の、任意の区間である。
顔の任意の点を通る線は、直線でも曲線でも構わないが、好ましくは直線である。また、顔の任意の点を通る水平線又は垂直線がより好ましい。
前記線上の、任意の区間は、特に限定されないが、少なくとも顔面上の０．５ｃｍ以上の長さに相当する区間を測定することが好ましい。
例えば、鼻尖点を通る水平線が好ましく挙げられる。また、前記線上の、例えば、顔の端から別の端までの区間としたり、顔の端から小鼻を通る垂直線との交点までの区間としたり、任意に設定してよい。
この区間の輝度を、通常は５００点以上、より好ましくは８００点以上、さらに好ましくは１０００点以上、特に好ましくは全画素数を連続的に測定する。また、測定点の間隔は、１ｃｍ当たりのピクセル数を２１９としたときに通常は１００ピクセル以下、より好ましくは８０ピクセル以下、さらに好ましくは５０ピクセル以下とする。また、測定点は、測定区間における輝度の最大値の点と最小値の点とを含むことが好ましい。
【００１５】
輝度の測定は、ＩｍａｇｅＪ（ＮＩＨ）やＰｈｏｔｏｓｈｏｐ（アドベシステムズ社製）等の画像解析ソフトを用いて行うことができる。
【００１６】
測定及び解析においては、輝度及び輝度の偏在度を算出する（図１参照）。なお、輝度は、通常は０〜２５５の２５６段階で測定される。
輝度の偏在度は、測定区間における輝度の標準偏差（ばらつき）である。
【００１７】
本発明の方法では、輝度の偏在度が、好ましくは１６．４０００以上１９．２０００以下の範囲、より好ましくは１６．６０００〜１９．００００の範囲、さらに好ましくは１６．８０００〜１８．８０００の範囲にあるときに、対象の化粧肌は自然な仕上がりであると評価することができる。
例えば、図２を参照して説明すると、輝度偏在度が１６．４０００以上１９．２０００以下の範囲にあるとき（ｂ）、すなわち測定区間の輝度が適度にばらついているときは、自然で美しい仕上がりと評価される。輝度偏在度が１９．２０００より大きいとき（ａ）にあるとき、すなわち、輝度のばらつきが大きいときは、シミなどのアラが目立ち、美しくないと評価される。輝度偏在度が１６．４０００より小さいとき（ｃ）にあるとき、すなわち、輝度のばらつきが小さいときは、のっぺりとした人工的で不自然な仕上がりと評価される。
【実施例】
【００１８】
以下、実施例により、本発明をより詳細に説明するが、本発明の技術的範囲が例示された実施例のみに限定されることはない。
【００１９】
１０名の被験者（Ａ〜Ｊ）に協力してもらい以下の試験を行った。
専門美容部員が、被験者の顔面全体に下地化粧料を塗布し、さらに化粧料１を塗布した後に、顔面を正面からデジタルカメラにて撮像した。次いで、専門パネルが各被験者の各画像について「自然な仕上がり」、「やや自然な仕上がり」、「やや不自然な仕上がり」、「不自然な仕上がり」の４段階で被験者の化粧状態を評価した。
次いで、洗顔により化粧料１のメークを落とした後に、同様に顔面全体に下地化粧料を塗布し、さらに化粧料２を塗布した後に、同様にデジタルカメラによる撮像と専門パネルによる化粧状態の評価とを実施した。
【００２０】
表１に化粧料１及び２の処方を示す。なお、化粧料１及び２はいずれも肌色のファンデーションだが、化粧料１は３色の各着色固形組成物が平面方向に３つのスポットに充填された多色固形ファンデーションであり、化粧料２は単色固形ファンデーションである。
【００２１】
【表１】
2020169880.tif 000003
【００２２】
各被験者の各画像について、鼻尖点を通る水平線上の、右小鼻から右頬部に向かって２．８ Ｌｅｎｇｔｈの区間及び左小鼻から左頬部に向かって２．８ Ｌｅｎｇｔｈの区間の９２４ピクセルについて、ＩｍａｇｅＪを用いて輝度を測定し、輝度偏在度を算出した。なお、“ｌｅｎｇｔｈ”は：ＩｍａｇｅＪの画面上での長さであり、実際のスケールに換算すると２．８ｌｅｎｇｔｈは４．５ｃｍに相当する。
【００２３】
専門パネルによる化粧状態の評価と、画像における輝度偏在度を表２及び３に示す。
輝度偏在度が１６．４０００〜１９．２０００の範囲にある画像と、該画像に対する専門パネルによる化粧状態の評価が「自然な仕上がり」もしくは「やや自然な仕上がり」であることとが、極めて一致した。
【００２４】
【表２】
2020169880.tif 000004
【００２５】
【表３】
2020169880.tif 000005
【図１】
2020169880.tif 000006
【図２】
2020169880.tif 000007